(57)【要約】【課題】花卉の見栄えが良好となるように包装することができ、かつ包装作業を容易にすることができる花卉用包装材を提供する。【解決手段】花卉用包装材１０は、花卉収容口１３を備えるテーパ状の内側包装体１４と、これの外周面１４ａに沿って設けられる外側包装体１５とを備えており、内側包装体１４と外側包装体１５とは溶着される。内側包装体１４は不織布を用いて形成される一方、外側包装体１５は網の目状のメッシュを用いて形成される。花卉用包装材１０を用いて花束Ｆを包装する際には、花卉用包装材１０の花卉収容口１３を広げて花束Ｆを収容した後に、基端部１１周辺を装飾リボンＲによって結束する。それぞれに広がる内側包装体１４と外側包装体１５とによって花束Ｆにボリューム感を与えることができ、花束Ｆの見栄えを著しく向上させることができる。【選択図】    図３
2005014987.tif 000002
【特許請求の範囲】
【請求項１】
花卉を包装する花卉用包装材であって、
基端部から花卉収容口が形成される開口端部に向けてテーパ状に広がる内側包装体と、
前記内側包装体の外周面に沿って設けられ、基端部から開口端部に向けてテーパ状に広がるとともに前記内側包装体に固定される外側包装体とを有することを特徴とする花卉用包装材。
【請求項２】
請求項１記載の花卉用包装材において、前記内側包装体と前記外側包装体との基端部を閉塞し、前記内側包装体と前記外側包装体とを袋状に形成することを特徴とする花卉用包装材。
【請求項３】
請求項１または２記載の花卉用包装材において、前記内側包装体と前記外側包装体とを、それぞれの基端部から開口端部に向けて延びる接着帯を介して固定することを特徴とする花卉用包装材。
【発明の詳細な説明】
【０００１】
【発明の属する技術分野】
本発明は、花卉を包装するための花卉用包装材に関し、特に、花卉を見栄え良く包装するとともに包装作業を容易にするために適用して有効な技術に関する。
【０００２】
【従来の技術】
花束などを販売する販売店にあっては、顧客に対して花束を販売する際に、紙製や樹脂製の包装シートを用いて花束を包装している。花束の包装作業は、予め用意された包装シートを花束に巻き付けた後に、粘着テープを用いて包装シートの端辺を固定することによって完了する。しかしながら、このような包装作業は煩雑であり、作業効率の低下が問題となっていた。
【０００３】
そこで、花束を包装する際の作業効率を向上させるため、予めスリーブ状に形成された包装材が開発されている。この包装材を用いて花束を包装する際には、包装材の開口部に花束を挿入するだけで包装作業が完了するため、作業効率を高めることができる（たとえば、特許文献１参照）。
【０００４】
【特許文献１】
特許第３２６４７３６号公報（第３頁、図１）
【０００５】
【発明が解決しようとする課題】
しかしながら、花束は贈答用に購入される場合が多く、贈答用の花束にあってはその見栄えが重視されることになるが、スリーブ状の包装材によって花束を包装しただけでは、花束の見栄えを著しく向上させることは困難であった。
【０００６】
また、花束の見栄えを向上させるために、複数枚の包装シートを用いて花束を包装することがあるが、このような包装作業は非常に手間がかかるだけでなく、熟練した技能を要するため、包装作業者によっては品質のばらつきが生じることになっていた。
【０００７】
本発明の目的は、花卉の見栄えが良好となるように包装することができ、かつ包装作業を容易にすることができる花卉用包装材を提供することにある。
【０００８】
【課題を解決するための手段】
本発明の花卉用包装材は、花卉を包装する花卉用包装材であって、基端部から花卉収容口が形成される開口端部に向けてテーパ状に広がる内側包装体と、前記内側包装体の外周面に沿って設けられ、基端部から開口端部に向けてテーパ状に広がるとともに前記内側包装体に固定される外側包装体とを有することを特徴とする。
【０００９】
本発明の花卉用包装材は、前記内側包装体と前記外側包装体との基端部を閉塞し、前記内側包装体と前記外側包装体とを袋状に形成することを特徴とする。
【００１０】
本発明の花卉用包装材は、前記内側包装体と前記外側包装体とを、それぞれの基端部から開口端部に向けて延びる接着帯を介して固定することを特徴とする。
【００１１】
本発明によれば、内側包装体と外側包装体とを設けるようにしたので、花卉用包装材にボリューム感を与えることができ、趣のある花卉用包装材とすることができる。これにより、花卉用包装材を用いて包装した花卉の見栄えを良くすることができる。また、内側包装体と外側包装体とを固定するようにしたので、包装作業が容易となり、包装作業の迅速化を達成することができる。
【００１２】
また、内側包装体と外側包装体とを袋状に形成するようにしたので、花卉の茎を外部に露出させることがなく、花卉用包装材を用いて包装した花卉の見栄えを良くすることができる。
【００１３】
さらに、内側包装体と外側包装体とを固定する際には、接着帯を介して固定するようにしたので、不要に固定範囲を広げることなく固定することができる。これにより、内側包装体と外側包装体とに動きを持たせることができ、趣のある花卉用包装材とすることができる。
【００１４】
【発明の実施の形態】
以下、本発明の実施の形態を図面に基づいて詳細に説明する。
【００１５】
図１（Ａ）は本発明の一実施の形態である花卉用包装材１０を示す平面図であり、図１（Ｂ）は（Ａ）のａ−ａ線に沿って花卉用包装材１０を示す断面図である。まず、図１（Ａ）に示すように、花卉用包装材１０は、ほぼ直角の先端を備える基端部１１と、周縁１２ａが波形に形成される開口端部１２とを備えており、花卉用包装材１０は基端部１１から開口端部１２に向けてテーパ状に広がるように形成されている。また、基端部１１の周縁１１ａは閉塞される一方、開口端部１２には花卉収容口１３が形成されており、花卉用包装材１０は略扇形の袋状となっている。
【００１６】
図１（Ｂ）に示すように、花卉用包装材１０は内側に設けられる内側包装体１４と、これの外周面１４ａに沿って設けられる外側包装体１５とを備えており、内側包装体１４は不織布を用いて形成される一方、外側包装体１５は網の目状のメッシュを用いて形成される。なお、図１（Ａ）および（Ｂ）に示す花卉用包装材１０は、折り畳まれた状態となっており、これは使用前の状態を示している。
【００１７】
図２（Ａ）〜（Ｄ）は花卉用包装材１０の製造過程の一例を示す説明図である。まず、図２（Ａ）に示すように、ほぼ同寸法のシート状に切断された不織布１６とメッシュ１７とを重ね合わせ、続いて図２（Ｂ）に示すように、メッシュ１７が外側となるように不織布１６とメッシュ１７とを共に折り曲げる。このように折り曲げた状態のもとで、図２（Ｂ）に破線で示すように、不織布１６とメッシュ１７とを所定の間隔で幅方向に切断する。
【００１８】
ここで、不織布１６やメッシュ１７には原料として化学繊維が含まれており、切断する際に図示しない発熱部材を押し付けることによって、不織布１６やメッシュ１７の一部を溶融させて相互に接着することができる。つまり、重なり合った不織布１６とメッシュ１７とを切断する際には、図２（Ｃ）に一点鎖線で示す接着帯１８に沿って側部が接着され、上部のみが開口する袋体１９が複数形成されることになる。さらに続いて、図２（Ｄ）に示すように、袋体１９の頂点から対角の頂点にかけて袋体１９を波形に切断することによって、ほぼ同形状の内側包装体１４と外側包装体１５とを備える花卉用包装材１０が製造される。
【００１９】
なお、不織布１６とメッシュ１７とを溶着する際には、発熱させた切断刃を用いることによって、不織布１６とメッシュ１７とを切断するとともに、不織布１６とメッシュ１７とを溶着させるようにしても良い。また、図２（Ｃ）に示す袋体１９は、両側部の接着帯１８を溶着固定することによって袋状に形成されているが、一方の側部のみを溶着固定しても良い。つまり、袋体１９の開口端部１２を波形に形成する際に、他方の側部は取り除かれてしまうため、取り除かれる側部を溶着固定することなく単に切断するようにしても良い。このように花卉用包装材１０を製造することにより、製造コストの引き下げを図ることができる。
【００２０】
また、図２（Ａ）に示す不織布１６やメッシュ１７は、所定の長さ寸法で切断されているが、この長さ寸法に限られることはなく、製造設備などの条件に応じて変更しても良いことはいうまでもない。さらに、内側包装体１４の材料としては不織布１６に限られることはなく、メッシュを用いて形成しても良く、ポリプロピレンなどの樹脂製シートを用いて形成しても良い。さらに、外側包装体１５の材料としてもメッシュ１７に限られることはなく、不織布や樹脂製シートを用いて形成しても良い。
【００２１】
図３（Ａ）および（Ｂ）は花卉用包装材１０の使用方法を示す斜視図である。図３（Ａ）に示すように、花卉用包装材１０を用いて花卉としての花束Ｆを包装する際には、まず、花卉用包装材１０の花卉収容口１３を広げて花卉用包装材１０の形状を整える。続いて、図３（Ｂ）に示すように、広げられた花卉収容口１３に花束Ｆを収容した後に、装飾リボンＲによって花卉用包装材１０の基端部１１を結束する。このように、花卉用包装材１０を用いることにより、花束Ｆを包装シート等で巻き込む必要がないため、花束Ｆを極めて容易に包装することができる。なお、内側包装体１４と外側包装体１５とは相互に固定されるため、包装作業中に内側包装体１４と外側包装体１５とが分離してしまうことはなく、複数の包装体１４，１５を備えることによる包装作業の繁雑化を招くことはない。
【００２２】
また、花束Ｆの包装が容易となるだけでなく、図３（Ｂ）に示すように、花束Ｆの見栄えを著しく向上させることができる。つまり、それぞれに広がる内側包装体１４と外側包装体１５とにより花束Ｆにボリューム感を与えることができ、それぞれの包装体１４，１５を異なる素材で形成することにより趣のある花卉用包装材１０とすることができる。図示する場合には、外側包装体１５にメッシュを用いるようにしたので、花卉用包装材１０に凹凸や暈かしを与えることができ、花卉用包装材１０の表情を豊かにすることができる。さらに、花卉用包装材１０の基端部１１は閉塞されるため、花束Ｆの茎が露出することはなく花束Ｆの美観を損ねることもない。
【００２３】
また、内側包装体１４と外側包装体１５とを、基端部１１から開口端部１２に向けて延びる直線状の接着帯１８の範囲で固定するようにしたので、不要に固定範囲を広げることなく固定することができる。これにより、内側包装体１４と外側包装体１５とのそれぞれに動きを持たせることができ、花卉用包装材１０の形状に変化を付けることが容易となる。さらに、直線状の接着帯１８で内側包装体１４と外側包装体１５とを固定するようにしたので、シート状の不織布１６とメッシュ１７とを切断する際に、内側包装体１４と外側包装体１５とを固定することができる。これにより、内側包装体１４と外側包装体１５とを別途固定する必要がなく、花卉用包装材１０の製造コストを削減することができる。
【００２４】
さらに、内側包装体１４と外側包装体１５とを設けるようにしたので、これら包装体１４，１５間の隙間に、糖分や抗菌剤などを含む品質保持剤の袋を入れておくことができる。このように、品質保持剤を花卉用包装材１０に備え付けることによって、顧客が花束Ｆを活ける際に品質保持剤を使用して花束Ｆを長持ちさせることができ、顧客の満足感を向上させることができる。また、包装した花卉の種類に応じて適切な品質保持剤を備え付けておくことができるため、顧客が品質保持剤を別途購入する必要がないだけでなく、購入する品質保持剤の種類を間違えることもない。なお、品質保持剤としては、花束Ｆを活ける際に使用する品質保持剤に限られることはなく、エチレンガスを吸着して花束Ｆを新鮮に保つ品質保持剤であっても良い。
【００２５】
図４は本発明の他の実施の形態である花卉用包装材２０を示す平面図である。図４に示すように、この花卉用包装材２０は、外側包装体１５をポリプロピレンなどの樹脂製シートによって形成したものである。このように、内側包装体１４や外側包装体１５を樹脂製シートによって形成すると、花卉用包装材１０の防水性を高めることができ、たとえば、吸水させた多孔質の保水部材つまりフローラルフォームとともに花束Ｆを包装することができる。これにより、運搬時にも花束Ｆを新鮮に保つことができる。
【００２６】
さらに、透明な樹脂製シートを用いるようにすると、内側包装体１４と外側包装体１５との間に、贈答用のメッセージカードＣなどを挿入することができる。これにより、花束ＦにメッセージカードＣを添付するためにカードホルダなどを追加する必要がなく、花束Ｆの包装コストを削減することができる。
【００２７】
図５（Ａ）〜（Ｅ）は本発明の他の実施の形態である花卉用包装材２１〜２５を示す平面図である。図５（Ａ）〜（Ｄ）に示すように、花卉用包装材の形状は図１（Ａ）に示す形状に限られるものではない。たとえば、図５（Ａ）に示すように、開口端部１２の周縁１２ａを角形に形成しても良い。このような形状に花卉用包装材２１を形成すると、図２（Ｄ）に示す切断工程を省くことができ、花卉用包装材２１の製造コストを引き下げることができる。なお、この場合の図２（Ｃ）に示す袋体１９は、一方の側部のみが溶着固定された袋体となる。
【００２８】
また、図５（Ｂ）に示すように開口端部１２の周縁１２ａを円弧状に形成しても良く、図５（Ｃ）に示すように周縁１２ａを台形状に形成しても良く、図５（Ｄ）に示すように周縁１２ａを鋸歯状に形成しても良い。これらの形状は包装する花卉の大きさや形状などに応じて適宜選択することができる。
【００２９】
さらに、図５（Ｅ）に示すように、図１に示す花卉用包装材１０の基端部１１の先端を切り落とすとともに、この基端部１１の周縁１１ａを溶着しても良い。このように形成すると、花束Ｆだけでなく植木鉢などの花器に植え込まれた花をも包装することができる。つまり、基端部１１の先端を切り落とすことによって、花卉収容口１３を広げたときに花卉用包装材２５の底部を平面状に形成することが容易となり、植木鉢の据わりを良くすることができる。
【００３０】
なお、基端部１１の先端を単に切り落とすことによって開口させても良く、このように開口させた場合には、基端部１１より花束Ｆの茎を露出させることができ、花卉用包装材２５を取り除くことなく花瓶などに花束Ｆを入れることができる。特に、販売店においては、包装を済ませた状態で水揚げ用のバケツに入れておくことができ、顧客に対して迅速に販売することができる。
【００３１】
本発明は前記実施の形態に限定されるものではなく、その要旨を逸脱しない範囲で種々変更可能であることはいうまでもない。たとえば、図示する花卉用包装材１０，２０〜２５は、内側包装体１４と外側包装体１５との二つの包装体を備えているが、包装体としては二つに限られるものではない。つまり、内側包装体１４と外側包装体１５との間に更に包装体を追加するようにして、花卉用包装材１０，２０〜２５のボリューム感を更に増大させても良い。このように三つ以上の包装体を備える花卉用包装材は、図２（Ａ）に示す工程において、三枚以上の不織布１６やメッシュ１７などを重ね合わせることによって製造することができる。
【００３２】
また、内側包装体１４や外側包装体１５を形成する材料としては、不織布１６、メッシュ１７、樹脂製シートに限られることはなく、和紙などの紙製シートを用いるようにしても良い。紙製シートを材料とした場合には接着剤を用いて内側包装体１４と外側包装体１５とを固定するようにしても良く、紙製シートを樹脂によって覆うことにより内側包装体１４と外側包装体１５とを溶着するようにしても良い。
【００３３】
さらに、図３（Ｂ）に示すように、花束Ｆを包装する際に装飾リボンＲを使用しているが、たとえば、花卉用包装材の奥行きを深く形成した場合には、装飾リボンＲを使用することなく包装することができる。
【００３４】
さらに、内側包装体１４や外側包装体１５を不織布１６や樹脂製シートなどを用いて形成した場合には、内側包装体１４や外側包装体１５の通気孔を形成しても良く、通気孔を形成することにより、花束Ｆの呼吸を促すことができ、花束Ｆを長く持たせることができる。
【００３５】
なお、内側包装体１４や外側包装体１５のそれぞれに模様や図柄を印刷しても良く、内側包装体１４や外側包装体１５のそれぞれに着色を施しても良いことはいうまでもない。
【００３６】
【発明の効果】
本発明によれば、内側包装体と外側包装体とを設けるようにしたので、花卉用包装材にボリューム感を与えることができ、趣のある花卉用包装材とすることができる。これにより、花卉用包装材を用いて包装した花卉の見栄えを良くすることができる。また、内側包装体と外側包装体とを固定するようにしたので、包装作業が容易となり、包装作業の迅速化を達成することができる。
【００３７】
また、内側包装体と外側包装体とを袋状に形成するようにしたので、花卉の茎を外部に露出させることがなく、花卉用包装材を用いて包装した花卉の見栄えを良くすることができる。
【００３８】
さらに、内側包装体と外側包装体とを固定する際には、接着帯を介して固定するようにしたので、不要に固定範囲を広げることなく固定することができる。これにより、内側包装体と外側包装体とに動きを持たせることができ、趣のある花卉用包装材とすることができる。
【図面の簡単な説明】
【図１】（Ａ）は本発明の一実施の形態である花卉用包装材を示す平面図であり、（Ｂ）は（Ａ）のａ−ａ線に沿う断面図である。
【図２】（Ａ）〜（Ｄ）は花卉用包装材の製造過程の一例を示す説明図である。
【図３】（Ａ）および（Ｂ）は花卉用包装材の使用方法を示す斜視図である。
【図４】本発明の他の実施の形態である花卉用包装材を示す平面図である。
【図５】（Ａ）〜（Ｅ）は本発明の他の実施の形態である花卉用包装材を示す平面図である。
【符号の説明】
１０    花卉用包装材
１１    基端部
１１ａ  周縁
１２    開口端部
１２ａ  周縁
１３    花卉収容口
１４    内側包装体
１４ａ  外周面
１５    外側包装体
１６    不織布
１７    メッシュ
１８    接着帯
１９    袋体
２０〜２５    花卉用包装材
Ｆ    花束（花卉）
Ｒ    装飾リボン
Ｃ    メッセージカード
【図１】
2005014987.tif 000003
【図２】
2005014987.tif 000004
【図３】
2005014987.tif 000005
【図４】
2005014987.tif 000006
【図５】
2005014987.tif 000007